(57)【要約】  本発明は、家電製品用支持レベリング装置及び家電製品を提供する。家電製品用支持レベリング装置は、家電製品の底板に装着されるレベリング底脚を含む。前記レベリング底脚は、底板の内側に設けられ、且つ開口した中空室を内部に有し、開口端が底板の内側に固着されるカバーと、一端が、中空室の開口に対応して前記底板に開設された貫通孔に挿通されてカバーの中空室内に伸入するとともに軸方向に対し運動可能であり、他端が底板の外側に位置して支持面に支持される調整脚と、前記調整脚とカバーの間に形成される空間内に密封される油圧媒体、を含む。レベリング底脚が平らでない支持面に配置された場合、調整脚が圧力を受けてカバーの軸方向に運動し、油圧媒体が圧力を受けて調整脚に作用することで、支持レベリングが行われる。本発明の家電製品用支持レベリング装置は、洗濯機の全体高さを大きくすることなく、より広範囲の自動レベリングを実現するため、家電製品の支持の安定性がより良好となる。【選択図】図１
2020531192.tif 000002
【特許請求の範囲】
【請求項１】
家電製品の底板に装着されるレベリング底脚を含み、前記レベリング底脚は、
開口した中空室を内部に有し、開口端が底板に固定されるカバーと、
一端が、中空室の開口に対応して前記底板に開設された貫通孔に挿通されてカバーの中空室内に伸入するとともに、軸方向に対し運動可能であり、他端が、底板の外側に位置して支持面に支持される調整脚と、
前記調整脚とカバーの間に形成される空間内に密封される油圧媒体、を含み、
レベリング底脚が平らでない支持面に配置された場合、調整脚が圧力を受けてカバーの軸方向に運動し、前記油圧媒体が圧力を受けて調整脚に作用することで、支持レベリングが行われることを特徴とする家電製品用支持レベリング装置。
【請求項２】
前記レベリング底脚は更にフレキシブル収容体を含み、フレキシブル収容体は、調整脚とカバーの間に形成される空間内に設置されるとともに、カバーの中空室内に位置する調整脚の一端と接触し、
前記フレキシブル収容体は内部に収容室を有し、フレキシブル収容体は収容室と連通する開口部を有し、開口部はカバー内に密封装着され、前記油圧媒体はフレキシブル収容体の収容室内に収容され、
レベリング底脚が平らでない支持面に配置された場合、調整脚が圧力を受けてカバーの軸方向に運動してフレキシブル収容体を押圧し、油圧媒体が圧力を受けて調整脚に作用することで、支持レベリングが行われることを特徴とする請求項１に記載の家電製品用支持レベリング装置。
【請求項３】
前記レベリング底脚は更に油圧プレートを含み、前記油圧プレートはカバーの中空室内に設置され、
前記油圧プレートは内部にスロットル流路を有し、油圧プレートにはスロットル流路と連通する油圧ノズルが設けられ、前記フレキシブル収容体の開口部は、油圧プレートに密封装着されてスロットル流路と連通し、油圧パイプを介して２つのレベリング底脚の油圧ノズルが互いに連通することで、レベリング底脚間での油圧媒体の流動が実現されることを特徴とする請求項２に記載の家電製品用支持レベリング装置。
【請求項４】
前記カバーの側壁に開口端から密閉端へと貫通する退避口が設けられ、前記退避口は、油圧プレートをカバーの中空室内に装入する際に油圧ノズルを退避させるために用いられ、前記油圧プレートの油圧ノズルは退避口からカバーの外部へと伸出することを特徴とする請求項３に記載の家電製品用支持レベリング装置。
【請求項５】
前記カバーの中空室の密閉端内にスロットル流路を有し、中空室の密閉端にスロットル流路と連通する油圧ノズルが設けられ、前記フレキシブル収容体の開口部は、カバーの中空室における密閉端の内壁に密封装着されるとともにスロットル流路と連通し、油圧パイプを介して２つのレベリング底脚の油圧ノズルが互いに連通することで、レベリング底脚間での油圧媒体の流動が実現されることを特徴とする請求項２に記載の家電製品用支持レベリング装置。
【請求項６】
前記調整脚はスライダ部と支持部を含み、前記スライダ部は、カバーの中空室内に設けられるとともに軸方向にスライド可能であり、前記支持部は、一端が貫通孔に挿通されてカバーの中空室内に伸入し、スライダ部に固定接続されるとともに、他端が底板の外側に伸出して支持面に支持されることを特徴とする請求項１〜５のいずれか一項に記載の家電製品用支持レベリング装置。
【請求項７】
前記支持部は接続ロッドと支持ベースを含み、前記接続ロッドは、一端が貫通孔に挿通されてカバーの中空室内に伸入し、スライダ部に固定接続されるとともに、他端が底板の外側に伸出して支持ベースに固定接続され、支持ベースが支持面に支持されることを特徴とする請求項６に記載の家電製品用支持レベリング装置。
【請求項８】
支持面と接触する前記支持部の底面に摩擦減衰装置が設置され、
好ましくは、前記支持部は支持ベースを含み、前記支持ベースの底面に摩擦減衰装置が設置されることを特徴とする請求項６に記載の家電製品用支持レベリング装置。
【請求項９】
前記カバーは底板の内側に設けられ、且つ開口した中空室を内部に有し、開口端が底板の内側に固着され、
好ましくは、前記カバーの中空室の開口端は外側に折返されて接続フランジを形成し、前記接続フランジには固定孔が開設され、これに対応して、前記底板には装着孔が開設され、
前記接続フランジは底板の内側面と密着し、接続部材を固定孔と装着孔に挿通することでカバーが底板の内側に固定接続されることを特徴とする請求項１〜８のいずれか一項に記載の家電製品用支持レベリング装置。
【請求項１０】
請求項１〜９のいずれか一項に記載の家電製品用支持レベリング装置を備える家電製品。
【発明の詳細な説明】
【技術分野】
【０００１】
本発明は、家電製品の支持及びレベリングの技術分野に関し、具体的には、家電製品用支持レベリング装置及び家電製品に関する。
【背景技術】
【０００２】
一般的に、家電製品にはハウジングの底部にレベリング装置が設けられており、家電製品の設置時にレベリング装置を調節することで安定した設置状態を実現可能である。また、レベリングして設置した後、レベリング装置は安定を維持するように家電製品を支持可能となる。
【０００３】
洗濯機の場合を例示すると、一般的に、従来の洗濯機はハウジング又は全体の底部にボルト底脚が装着されている。ボルト底脚は、ボルト、ナットワッシャ及びゴムパッドを含む。ナットワッシャはボルト上で上下に回転可能とされ、ボルトもまたハウジング底板のネジ孔内で上下に回転可能とされる。底板のネジ孔に対するボルト底脚のボルトのねじ込み長さによって洗濯機の高さ調整が実現されるが、大部分の洗濯機では、底脚を反時計回りに回転させることで高さが高くなり、時計回りに回転させることで高さが低くなるよう調整される。当該ボルト底脚の高さを調整した後に、緩み防止用のナットワッシャをしっかりと締めることで安定が維持される。
【０００４】
前記洗濯機の底脚によって洗濯機のレベリングは実現されるものの、ユーザは手動で調節を行わねばならない。そのため、洗濯機の重量が重かったり、設置スペースが狭かったりする場合にはユーザによる操作に不都合が生じる。また、洗濯機の長期的な動作過程で生じる震動もまた底脚のレベリングに影響を及ぼし、支持機能を容易に喪失させる結果、洗濯機の設置が水平でなくなる。
【０００５】
例えば、従来の８ＫＧドラム洗濯機は一般的に８０Ｋｇ程度と大重量のため、消費者が調節するには極めて不便であり、仮に調節を終えたとしても洗濯機を最適な状態に調整できる保証はない。洗濯機は洗浄時において、特に、０ｒ／ｍｉｎから１４００ｒ／ｍｉｎ程度まで加速して脱水する際に、水平でなかったり脚が機能しなかったりとの問題があると非常に大きく震動し、消費者の使用快適性に極めて大きな影響を及ぼす。
【０００６】
このほか、洗濯機が水平でないことに伴う震動によって底脚のネジが緩み、底脚のブラケットが垂直に移動する場合がある。洗濯機の水平状態はこのような不安定性により変動し、更に強い震動を招来し得る。こうした悪循環によって、洗濯機の使用期間が長くなるほど騒音が大きくなり、洗濯機自体も一定の損傷を受けることから、使用寿命が短縮してしまう。
【０００７】
従って、従来の洗濯機におけるレベリングには、手動で調節せねばならないため時間と手間がかかり、且つ、精度にも劣るとの課題が存在する。
【０００８】
上記に鑑みて、本発明を提案する。
【発明の概要】
【発明が解決しようとする課題】
【０００９】
上記の課題を解決するために、本発明の第１の目的は、家電製品用支持レベリング装置を提供することである。具体的には、以下の技術方案を用いる。
【課題を解決するための手段】
【００１０】
家電製品用支持レベリング装置であって、家電製品の底板に装着されるレベリング底脚を含む。前記レベリング底脚は、開口した中空室を内部に有し、開口端が底板に固定されるカバーと、一端が、中空室の開口に対応して前記底板に開設された貫通孔に挿通されてカバーの中空室内に伸入するとともに軸方向に対し運動可能であり、他端が底板の外側に位置して支持面に支持される調整脚と、前記調整脚とカバーの間に形成される空間内に密封される油圧媒体、を含む。レベリング底脚が平らでない支持面に配置された場合、調整脚が圧力を受けてカバーの軸方向に運動し、油圧媒体が圧力を受けて調整脚に作用することで、支持レベリングが行われる。
【００１１】
更に、前記レベリング底脚はフレキシブル収容体を含む。フレキシブル収容体は、調整脚とカバーの間に形成される空間内に設置されるとともに、カバーの中空室内に位置する調整脚の一端と接触する。前記フレキシブル収容体は内部に収容室を有し、フレキシブル収容体は収容室と連通する開口部を有し、開口部はカバー内に密封装着され、前記油圧媒体はフレキシブル収容体の収容室内に収容される。レベリング底脚が平らでない支持面に配置された場合、調整脚が圧力を受けてカバーの軸方向に運動してフレキシブル収容体を押圧し、油圧媒体が圧力を受けて調整脚に作用することで、支持レベリングが行われる。
【００１２】
更に、前記レベリング底脚は油圧プレートを含み、前記油圧プレートはカバーの中空室内に設置される。前記油圧プレートは内部にスロットル流路を有し、油圧プレートにはスロットル流路と連通する油圧ノズルが設けられる。前記フレキシブル収容体の開口部は、油圧プレートに密封装着されてスロットル流路と連通する。油圧パイプを介して２つのレベリング底脚の油圧ノズルが互いに連通することで、レベリング底脚間での油圧媒体の流動が実現される。
【００１３】
更に、前記カバーの側壁に開口端から密閉端へと貫通する退避口が設けられる。前記退避口は、油圧プレートをカバーの中空室内に装入する際に油圧ノズルを退避させるために用いられ、前記油圧プレートの油圧ノズルは退避口からカバーの外部へと伸出する。
【００１４】
更に、前記カバーの中空室の密閉端内にスロットル流路を有し、中空室の密閉端にスロットル流路と連通する油圧ノズルが設けられる。前記フレキシブル収容体の開口部は、カバーの中空室における密閉端の内壁に密封装着されるとともにスロットル流路と連通する。油圧パイプを介して２つのレベリング底脚の油圧ノズルが互いに連通することで、レベリング底脚間での油圧媒体の流動が実現される。
【００１５】
更に、前記調整脚はスライダ部と支持部を含む。前記スライダ部は、カバーの中空室内に設けられるとともに、軸方向にスライド可能である。前記支持部は、一端が貫通孔に挿通されてカバーの中空室内に伸入し、スライダ部に固定接続されるとともに、他端が底板の外側に伸出して支持面に支持される。
【００１６】
更に、前記支持部は接続ロッドと支持ベースを含む。前記接続ロッドは、一端が貫通孔に挿通されてカバーの中空室内に伸入し、スライダ部に固定接続されるとともに、他端が底板の外側に伸出して支持ベースに固定接続される。また、支持ベースは支持面に支持される。
【００１７】
更に、支持面と接触する前記支持部の底面に摩擦減衰装置が設置される。好ましくは、前記支持ベースの底面に摩擦減衰装置が設置される。
【００１８】
更に、前記カバーは底板の内側に設けられ、且つ開口した中空室を内部に有し、開口端が底板の内側に固着される。好ましくは、前記カバーの中空室の開口端は外側に折返されて接続フランジを形成する。前記接続フランジには固定孔が開設され、これに対応して、前記底板には装着孔が開設される。前記接続フランジは底板の内側面と密着し、接続部材を固定孔と装着孔に挿通することでカバーが底板の内側に固定接続される。
【００１９】
本発明の第２の目的は、上記いずれかの前記家電製品用支持レベリング装置を備える家電製品を提供することである。
【発明の効果】
【００２０】
本発明の家電製品用支持レベリング装置は、レベリング底脚が油圧の原理を利用する。水平でないために生じた圧力差によって油圧媒体が流動することで、底脚は、家電製品用底脚が平衡を取って油圧媒体の流動が停止し、自動レベリングを実現するまで、適応的な調整を自動で行う。
【００２１】
本発明の家電製品用支持レベリング装置は、カバーを家電製品の底板の内側に装着する。家電製品の底板に対する本発明の家電製品用支持レベリング装置の装着方式によれば、支持レベリングを行う調整脚が底板の外側に位置することを除き、その他の部材はいずれも底板の内側に位置する。なお、調整脚の設置方式は従来の洗濯機の底脚と同様である。
【００２２】
これにより、本発明の家電製品用支持レベリング装置は、洗濯機の全体高さを大きくすることなく、より広範囲の自動レベリングを実現するため、家電製品の支持の安定性がより良好となる。
【図面の簡単な説明】
【００２３】
【図１】図１は、本発明の実施例にかかるレベリング底脚の断面図である（油圧媒体が圧力を受けていない状態）。
【図２】図２は、本発明の実施例にかかるレベリング底脚の断面図である（油圧媒体が圧力を受けて一部が押し出された状態）。
【図３】図３は、本発明の実施例にかかるレベリング底脚の断面図である（油圧媒体が圧力を受けて完全に押し出された状態）。
【図４】図４は、本実施の更なる実施例におけるレベリング底脚の断面図である。
【発明を実施するための形態】
【００２４】
以下に、図面を組み合わせて、本発明における家電製品用支持レベリング装置及び家電製品につき詳細に述べる。
【実施例１】
【００２５】
図１〜図４に示すように、本実施例で提供する家電製品用支持レベリング装置は、家電製品の底板７００に装着されるレベリング底脚を含む。前記レベリング底脚は、底板７００の内側に設けられるカバーであって、開口した中空室を内部に有し、開口端が底板７００の内側に固着されるカバー３００と、一端が、中空室の開口に対応して前記底板７００に開設された貫通孔７０２に挿通されてカバー３００の中空室内に伸入するとともに、軸方向に対し運動可能であり、他端が、底板７００の外側に位置して支持面に支持される調整脚５００と、前記調整脚５００とカバー３００の間に形成される空間内に密封される油圧媒体、を含む。レベリング底脚が平らでない支持面に配置された場合、調整脚５００は圧力を受けてカバー３００の軸方向に運動する。これにより、油圧媒体が圧力を受けて調整脚５００に作用し、支持レベリングを行う。
【００２６】
本実施例のレベリング底脚は油圧の原理を利用する。水平でないために生じた圧力差によって油圧媒体が流動することで、調整脚５００は、家電製品が平衡を取って油圧媒体の流動が停止し、自動レベリングを実現するまで、適応的な調整を自動で行う。
【００２７】
本実施例の家電製品用支持レベリング装置は、カバー３００を家電製品の底板７００の内側に装着する。家電製品の底板７００に対する本実施例の家電製品用支持レベリング装置の装着方式によれば、支持レベリングを行う調整脚５００が底板７００の外側に位置することを除き、その他の部材はいずれも底板７００の内側に位置する。なお、調整脚５００の設置方式は従来の洗濯機の底脚と同様である。これにより、本実施例の家電製品用支持レベリング装置は、洗濯機の全体高さを大きくすることなく、より広範囲の自動レベリングを実現するため、家電製品の支持の安定性がより良好となる。
【００２８】
調整脚５００とカバー３００の間における油圧媒体の密封を実現するために、本実施例の実施形態として、レベリング底脚は更にフレキシブル収容体４００を含む。フレキシブル収容体４００は、調整脚５００とカバー３００の間に形成される空間内に設置されるとともに、カバー３００の中空室内に位置する調整脚５００の一端と接触する。
【００２９】
前記フレキシブル収容体は内部に収容室を有する。また、フレキシブル収容体４００は収容室と連通する開口部４０１を有し、開口部４０１はカバー３００内に密封装着される。前記油圧媒体はフレキシブル収容体４００の収容室内に収容される。
【００３０】
レベリング底脚が平らでない支持面に配置された場合、調整脚５００は圧力を受けてカバー３００の軸方向に運動し、フレキシブル収容体４００を押圧する。これにより、油圧媒体が圧力を受けて調整脚５００に作用し、支持レベリングを行う。
【００３１】
本実施例では、油圧媒体をフレキシブル収容体４００内に収容してから、フレキシブル収容体４００をカバー３００内に密封装着することで油圧媒体の密封を実現する。レベリング底脚のレベリング効果は油圧媒体の密封性により決定される。
【００３２】
カバー内へのフレキシブル収容体４００の密封装着を実現するために、本実施例のレベリング底脚は更に油圧プレート１００を含む。前記油圧プレート１００はカバー３００の中空室内に設置される。
【００３３】
前記油圧プレート１００は内部にスロットル流路１０１を有する。また、油圧プレート１００には、スロットル流路と連通する油圧ノズル１０２が設けられている。前記フレキシブル収容体４００の開口部４０１は、油圧プレート１００に密封装着されてスロットル流路１０１と連通する。２つのレベリング底脚の油圧ノズル１０２が油圧パイプを介して互いに連通することで、レベリング底脚間での油圧媒体の流動が実現される。
【００３４】
本実施例では、フレキシブル収容体４００を油圧プレート１００に直に密封装着してから、密封装着した油圧プレート−フレキシブル収容体ユニットをカバー３００の中空室内に装入することで、フレキシブル収容体４００の密封装着を実現する。よって、組み立てが簡単且つ便利である。
【００３５】
油圧プレート１００にはスロットル流路と油圧ノズルが設けられており、油圧パイプを介して２つ又は複数のレベリング底脚の連通を実現可能である。不均衡な圧力を受けた場合には、油圧媒体が底脚間で流動することでレベリング底脚システム全体が平衡を取るため、より良好な支持レベリング効果が得られる。
【００３６】
本実施例の油圧プレート１００は、カバー３００の中空室における密閉端の内壁に位置すればよく、油圧媒体により支持されてカバー３００の中空室の上部に位置してもよい。
【００３７】
油圧プレート−フレキシブル収容体ユニットをカバー３００の中空室内に装入し、且つ、油圧パイプを接続しやすいよう油圧ノズル１０２を伸出させるために、本実施例では、前記カバー３００の側壁に開口端から密閉端へと貫通する退避口が設けられている。前記退避口は、油圧プレートをカバーの中空室内に装入する際に油圧ノズル１０２を退避させるために用いられ、前記油圧プレート１００の油圧ノズル１０２は退避口からカバーの外部へと伸出する。
【００３８】
本実施例のレベリング底脚は、油圧プレート内にスロットル流路１０１を設けており、油圧媒体の急速な流動が回避されることから、調節過程がより安定的となる。また、家電製品用底脚にかかる圧力の変化が大きい場合には、スロットル流路１０１で良好に緩衝可能なため、油圧媒体が突然急速に流動することで家電製品用底脚が破損するとの事態が回避される。
【００３９】
更に、油圧ノズル１０２には返し構造が設けられているため、後段で緊締される油圧パイプが抜け落ちることなく密封される。
【００４０】
本実施例の油圧プレート１００は、フレキシブル収容体を単独で密封状に組み付けてから、組み付けた油圧プレート−フレキシブル収容体ユニットをカバー３００の中空室内に装入すればよいため、装着がより簡便である。また、本実施例のレベリング底脚は、油圧プレートを用いずにフレキシブル収容体４００を密封装着してもよい。具体的な手段は次の通りである。
【００４１】
本実施例における前記カバー３００の中空室の密閉端内にスロットル流路を持たせ、中空室の密閉端にスロットル流路と連通する油圧ノズルを設ける。前記フレキシブル収容体４００の開口部４０１は、カバー３００の中空室における密閉端の内壁に密封装着されるとともにスロットル流路と連通する。そして、油圧パイプを介して２つのレベリング底脚の油圧ノズルを互いに連通することで、レベリング底脚間での油圧媒体の流動を実現する。
【００４２】
本実施例では、フレキシブル収容体４００をカバー３００の中空室における密閉端の内壁に直に密封装着することで、フレキシブル収容体４００の密封装着を実現するため、構造全体が簡略化される。また、カバー３００にスロットル流路と油圧ノズルを設け、油圧パイプを介することで２つ又は複数のレベリング底脚の連通を実現可能である。不均衡な圧力を受けた場合には、油圧媒体が底脚間で流動することでレベリング底脚システム全体が平衡を取るため、より良好な支持レベリング効果が得られる。
【００４３】
更に、本実施例のレベリング底脚は圧縮リング２００を含む。フレキシブル収容体４００の開口部は、圧縮リング２００によって油圧プレート１００又はカバー３００の中空室における密閉端の内壁に固定及び密封される。前記油圧プレート１００又はカバー３００の中空室における密閉端の内壁には密封凹溝１０３が設けられる。前記圧縮リング２００は、接続部材によって油圧プレート１００又はカバー３００の中空室における密閉端の内壁に固定されて、フレキシブル収容体４００の開口部を密封凹溝１０３に押し込む。開口部は、密封凹溝１０３と密封状の接触を維持して密封される。
【００４４】
本実施例の油圧媒体は、その他の形式で密封してもよい。本実施例の一実施形態として、本実施例のレベリング底脚はフレキシブル収容体や油圧プレートを用いなくともよい。本実施例では、調整脚５００とカバー３００の中空室の内壁とを密封状に接触させればよい。具体的には、中空室内に位置する調整脚５００の一端にパッキンを設ければよい。且つ、カバー３００にスロットル流路と油圧ノズルを設け、油圧パイプを介して２つ又は複数のレベリング底脚の連通を実現可能とする。
【００４５】
図１〜図３に示すように、本実施例の実施形態として、前記調整脚はスライダ部５０１と支持部を含む。前記スライダ部５０１は、カバー３００の中空室内に設けられるとともに、軸方向にスライド可能である。前記支持部は、一端が貫通孔に挿通されてカバーの中空室内に伸入し、スライダ部５０１に固定接続されるとともに、他端が底板７００の外側に伸出して支持面に支持される。
【００４６】
更に、前記支持部は、接続ロッド５０２と支持ベース５０３を含む。前記接続ロッド５０２は、一端が貫通孔に挿通されてカバー３００の中空室内に伸入し、スライダ部５０１に固定接続されるとともに、他端が底板７００の外側に伸出して支持ベース５０３に固定接続される。また、支持ベース５０３は支持面に支持される。
【００４７】
好ましくは、接続ロッド５０２と支持ベース５０３は一体成型される。前記接続ロッド５０２のうちスライダ部５０１に接続される一端には接続ネジが設けられ、前記スライダ部５０１にはネジ孔が設けられる。前記接続ロッド５０２はスライダ部５０１にネジ接続される。
【００４８】
図４に示すように、本実施例の実施形態として、前記調整脚５００は一体成型されたスライダ部と支持部を含む。前記スライダ部は、カバー３００の中空室内に設けられて軸方向にスライド可能である。また、前記支持部は底板７００の外側に延伸して支持面に支持される。
【００４９】
本実施例の一実施形態として、前記カバー３００の中空室の開口端は、外側に折返されて接続フランジ３０１を形成している。前記接続フランジ３０１には固定孔３０２が開設されており、これに対応して、前記底板７００には装着孔７０１が開設されている。前記接続フランジ３０１は底板７００の内側面と密着し、接続部材を固定孔と装着孔に挿通することでカバーを底板７００の内側に固定接続する。
【００５０】
具体的に、カバー３００の接続フランジ３０１は、ネジ／ボルトによって底板７００の内側に接続固定される。なお、言うまでもなく、係合や溶接等の方式で固定接続してもよい。
【００５１】
更に、本実施例のレベリング底脚のうち支持面と接触する前記支持部の底面に摩擦減衰装置６００を設置する。好ましくは、前記支持ベース５０３の底面に摩擦減衰装置６００を設置する。前記減衰装置６００は、ニトリルゴムやエチレンプロピレンジエンゴムのようなゴム材料で作製してもよいし、ポリウレタン材料で作製してもよい。
【００５２】
本実施例のフレキシブル収容体には液体袋を選択すればよい。前記液体袋は密封口を有し、油圧プレートの密封凹溝と係合して圧縮リングにより圧着及び密封される。
【００５３】
前記液体袋は変形可能であり、ゴム、シリカ、ポリウレタン等の材料で作製すればよい。
【００５４】
前記液体袋は、カバー、油圧プレート、スライダ部によって完全に保護され、且つ変形量が規制及び保護されることから、破裂や損傷が防止される。
【００５５】
なお、連想可能なように、液体袋にコルゲート構造を追加してもよい。
【００５６】
本実施例の油圧媒体には、良好な流動安定性を有する作動油を選択すればよい。
【００５７】
本実施例のレベリング底脚は、油圧の原理を利用して家電製品を自動でレベリングするため、シンプル且つ確実である。調整脚５００のスライダ部５０１は軸方向に対し移動可能にカバー３００内に設置されることから、家電製品の調節は上下方向に限られる。よって、レベリングの安定性を保証するためには、カバー３００に対する調整脚５００の回動を規制する必要がある。そこで、本実施例では、前記カバー３００の内周壁に複数の位置規制スライド溝を設けるとともに、前記調整脚５００のスライダ部に位置規制突起を設け、前記位置規制突起を上下にスライド可能に位置規制スライド溝内に装着する。また、前記位置規制スライド溝３０２の底部にストッパ構造３０３を設け、当該底部を塞ぐことで、調整脚のスライダ部がカバーから抜け落ちないよう防止する。
【００５８】
本実施例の家電製品用支持レベリング装置は、互いに連通する２つのレベリング底脚を含めばよい。この場合、家電製品底部の一方の側の２つの隅に本実施例における家電製品用支持レベリング装置の２つのレベリング底脚を装着し、他方の側に２つの通常の底脚を装着して支持する。
【００５９】
或いは、本実施例の家電製品用支持レベリング装置は４つのレベリング底脚を含めばよい。この場合、４つのレベリング底脚を２つずつ連通させるか、４つのレベリング底脚を互いに連通させる。本実施例における家電製品用支持レベリング装置の４つのレベリング底脚は、家電製品底部の四隅に装着される。
【００６０】
本実施例は、設計構造がシンプルでサイズが小さく、生産・製造が容易であり、且つ信頼性の高いレベリング底脚を提供することで、家電製品のレベリングを効果的に実現可能とする。
【実施例２】
【００６１】
本実施例は、上記実施例で記載した家電製品用支持レベリング装置を備える家電製品を提供する。当該家電製品はハウジングを含み、ハウジングの底部に複数の前記レベリング底脚が装着される。また、レベリング底脚の内部に充填された油圧媒体がレベリング底脚間で流動することでレベリングを実施可能である。
【００６２】
好ましくは、少なくとも２つのレベリング底脚が油圧パイプを介して連通し、レベリング底脚間での油圧媒体の流動を実現する。
【００６３】
本発明の実施例では、洗濯機の場合を例示して、本発明のレベリング底脚により洗濯機の自動レベリングを実現する際の原理と方法について詳述する。洗濯機を設置したあと、地面が水平でない場合には、レベリング底脚ごとに水平高さが異なり、地面の窪みに位置するレベリング底脚の位置が低くなる。これから明らかなように、まずは高位置にあるレベリング底脚が洗濯機の重量を受け、且つ、大きな重力を受けるが、低位置にあるレベリング底脚は機能しないか、小さな重力を受ける。
【００６４】
高位置にあるレベリング底脚の調整脚は大きな圧力がかかって上方に変位するため、底脚の高さ全体が縮小し、油圧媒体が充満したフレキシブル収容体の中空室の容積が圧縮により縮小する。これにより、油圧媒体がオリフィス又は弁孔に進入し、高圧配管を通じて低位置のレベリング底脚内に進入する。すると、低位置のレベリング底脚におけるフレキシブル収容体の油圧媒体が増え続け、フレキシブル収容体が膨張することで調整脚を伸長させる。
【００６５】
高位置の底脚と低位置の底脚の油圧が同等となると、油圧媒体は高圧配管からそれ以上流動しなくなり、調整脚と洗濯機の底板との相対位置もそれ以上変化しなくなる。このようにして、洗濯機の自動調整が完了する。
【００６６】
洗濯機の洗浄又は脱水の過程でも、油圧媒体は緩やかに流動して自動レベリングを実施可能なため、洗濯機の震動による騒音が大幅に軽減される。
【００６７】
本実施例の油圧媒体には、流動性が良好で成分の安定した作動油を選択すればよい。
【００６８】
また、本発明の上記実施例におけるレベリング底脚は、例えば、冷蔵庫、冷凍庫、エアコン室内機といった洗濯機以外の家電製品にも応用可能である。
【００６９】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【図１】
2020531192.tif 000003
【図２】
2020531192.tif 000004
【図３】
2020531192.tif 000005
【図４】
2020531192.tif 000006
【国際調査報告】
2020531192.tif 000007
2020531192.tif 000008
2020531192.tif 000009
2020531192.tif 000010